(57)【特許請求の範囲】
【請求項１】
前照用の発光部と、該発光部を体の前面側に位置するように首から吊り下げるための可撓性の首掛け紐とを含む輪が形成された首掛け照明装置であって、
前記輪における前記首掛け紐の前記発光部に連結する一対の所定領域のそれぞれに当該首掛け紐の可撓性の他の領域と区別して形成され、曲げることによって変化する形状を保持可能な紐形状保持部を有することを特徴とする首掛け照明装置。
【請求項２】
前記紐形状保持部は、前記発光部に連結された前記首掛け紐の根元の部分に設けられていることを特徴とする請求項１に記載の首掛け照明装置。
【請求項３】
前記発光部を中心として左右対称に位置するように一対の紐形状保持部が設けられていることを特徴とする請求項１又は２に記載の首掛け照明装置。
【請求項４】
前記紐形状保持部にあたる首掛け紐の表面には、紐の周方向に沿って形成される溝が、紐の長さ方向に複数配列されていることを特徴とする請求項１〜３のいずれか１項に記載の首掛け照明装置。
【請求項５】
前記紐形状保持部は、軟質材料で形成された前記首掛け紐の内部に形状保持部材を埋設してなることを特徴とする請求項１〜４のいずれか１項に記載の首掛け照明装置。
【請求項６】
前記形状保持部材は、金属製のフレキシブルチューブであることを特徴とする請求項５に記載の首掛け照明装置。
【発明の詳細な説明】
【技術分野】
【０００１】
本発明は、利用者の首に掛けて利用される首掛け照明装置に関する。
【背景技術】
【０００２】
従来、両手が自由に使える携帯型の照明装置として、首掛け照明装置が知られている（例えば、特許文献１参照）。特許文献１に開示されている首掛け照明装置は、軟質材料で形成された可撓性の首掛け用紐部の略中央に、照明用のＬＥＤを収納した本体が連結された構造となっている。この首掛け照明装置は、首掛け用紐部を首に掛けることで利用者の胸のあたりに本体を吊り下げることができ、ＬＥＤから照射される光によって利用者の手元や足元などを照らすことができる。
【先行技術文献】
【特許文献】
【０００３】
【特許文献１】特開２００９−２０６００７号公報
【発明の概要】
【発明が解決しようとする課題】
【０００４】
しかしながら、前述した従来の首掛け照明装置の構成では、例えば図１１に模式的に示すように、可撓性の首掛け用紐部２００によって吊り下げられる本体２１０の向きや位置が利用者の身体条件（体格，性別など）に依存し、必ずしも利用者の望む方向が照らされるとは限らない。また、散歩時の使用では足元近くを照らしたい，ジョギング時の使用では遠目を照らしたい、手元の作業時には胸元前方を照らしたいといったように、同じ利用者であっても照らしたい方向が異なる場合もある。この場合にも、前述した従来の首掛け照明装置では、使用形態に応じて照射方向を変えることができない。
【０００５】
本発明は、このような事情に鑑みてなされたもので、利用者の望む方向に照射方向を調節することのできる首掛け照明装置を提供するものである。
【課題を解決するための手段】
【０００６】
本発明に係る首掛け照明装置は、前照用の発光部と、該発光部を体の前面側に位置するように首から吊り下げるための可撓性の首掛け紐とを含む輪が形成された首掛け照明装置であって、前記輪における前記首掛け紐の前記発光部に連結する一対の所定領域のそれぞれに当該首掛け紐の可撓性の他の領域と区別して形成され、曲げることによって変化する形状を保持可能な紐形状保持部を有する構成とすることができる。
【０００７】
このような構成により、本発明に係る首掛け照明装置は、利用者が簡単に照射方向を変えることができ、利用者の望む方向に照射方向を調節することができる。その結果、身体条件に依存せず、利用者の望む方向を照らすことが可能となる。また、使用形態に応じて、利用者の望む方向を照らすことが可能となる。
【０００８】
本発明に係る首掛け照明装置において、前記紐形状保持部は、前記発光部に連結された前記首掛け紐の根元の部分に設けられた構成とすることができる。
【０００９】
このような構成により、利用者が首掛け照明装置を首に掛けた状態で、手で簡単に照射方向を調節することができる。さらに、光を照らしながら照射方向を位置決めすることも可能であり、より確実に利用者の望む方向への調節が可能となる。
【００１０】
本発明に係る首掛け照明装置において、前記発光部を中心として左右対称に位置するように一対の紐形状保持部が設けられた構成とすることができる。
【００１１】
このような構成により、利用者の体の中心線上に照射方向を維持することができる。さらに、紐の形状を左右対称に曲げて保持することで、例えば散歩やジョギング等のように体を動かす使用形態においても、使用中に照射方向が左右方向にぶれてしまうのを抑えることができる。
【００１２】
また、本発明に係る首掛け照明装置において、前記紐形状保持部にあたる首掛け紐の表面には、紐の周方向に沿って形成される溝が、紐の長さ方向に複数配列された構成とすることができる。
【００１３】
このような構成により、首掛け紐が手で曲げ易くなり、且つ、曲げた形状が元に戻ろうとする反作用を抑制することができる。さらに、利用者が、首掛け紐のどの部分が紐形状保持部であるかを容易に把握することができるという利点もある。
【００１４】
また、本発明に係る首掛け照明装置において、前記紐形状保持部は、軟質材料で形成された首掛け紐の内部に形状保持部材を埋設してなる構成とすることができる。
【００１５】
このような構成により、利用者の手は軟質材料に触れることになるので、利用者が手で曲げる際の安全性を確保することができる。さらに、形状保持部材が表面に露出していないことで、首掛け照明装置の製品としての意匠性を高めることができるという利点もある。
【００１６】
更に、本発明に係る首掛け照明装置において、前記形状保持部材は、金属製のフレキシブルチューブである構成とすることができる。
【００１７】
このような構成により、利用者が望む形状に手で紐形状保持部を変形させることが容易になる。言い換えると、利用者の望む方向へ簡単に照射方向を調節することできる。
【発明の効果】
【００１８】
本発明に係る首掛け照明装置によれば、利用者が首掛け紐の一部を手で曲げて発光部の照射方向を変えることができるので、利用者の望む方向に照射方向を調節することが可能となる。
【図面の簡単な説明】
【００１９】
【図１】本発明の実施の形態に係る首掛け照明装置の全体構成を示す斜視図である。
【図２】上記首掛け照明装置の第１発光部の表面側を拡大して示す斜視図である。
【図３】上記首掛け照明装置の第１発光部の裏面側を拡大して示す斜視図である。
【図４】上記首掛け照明装置の第２発光部を拡大して示す斜視図である。
【図５Ａ】上記首掛け照明装置の第１発光部の側面側を拡大して示す斜視図（その１）である。
【図５Ｂ】上記首掛け照明装置の第１発光部の側面側を拡大して示す斜視図（その２）である。
【図６】上記首掛け照明装置の点灯駆動部の構成を示す回路図である。
【図７】上記首掛け照明装置の使用状態を模式的に示す図である。
【図８】上記首掛け照明装置の照射方向を変えた状態を模式的に示す図である。
【図９】上記首掛け照明装置の使用状態を模式的に示す図である。
【図１０】上記首掛け照明装置の全体構成の変形例を示す斜視図である。
【図１１】身体条件に依存する従来の首掛け照明装置の照射方向を説明する図である。
【発明を実施するための形態】
【００２０】
本発明の実施の形態について図面を用いて説明する。
【００２１】
本発明の実施の一形態に係る首掛け照明装置は、図１〜図５Ａ、図５Ｂに示すように構成される。
【００２２】
図１に示すように、首掛け照明装置１００は、前照用の第１発光部１０、後照用の第２発光部２０、左右対称の一対の紐状部をなす第１連結紐状部３０ａと第２連結紐状部３０ｂを有している。第１発光部１０は、図１〜図３及び図５Ａ、図５Ｂ示すように、丸い形状のものを押し潰したような概ね扁平形を呈しており、互いに対向する略平面状の表面１０ａ（図２参照）と裏面１０ｂ（図３参照）を有している。第１連結紐状部３０ａ及び第２連結紐状部３０ｂの夫々は、第１発光部１０の後端部（使用時における上端部）から延びるように連結されている。第１発光部１０の後端部、第１連結紐状部３０ａ及び第２連結紐状部３０ｂは、例えば、軟質樹脂などの軟質材料にて一体成形されている。軟質樹脂としては、エラストマーを一例として挙げることができる。
【００２３】
第２発光部２０は、例えば、硬質の樹脂にて、人の首回りに対応して僅かに湾曲した筒状に形成されている。第２発光部２０は、その一端部に第１発光部１０から延びる第１連結紐状部３０ａの端部が連結され、その他端部に第１発光部１０から延びる第２連結紐状部３０ｂの端部が連結されている。このようにして、第１発光部１０と第２発光部２０とが第１連結紐状部３０ａ及び第２連結紐状部３０ｂによって連結されて輪１１０が形成されている。すなわち、利用者の後ろ首にあたる位置に第２発光部２０を介在させた第１連結紐状部３０ａと第２連結紐状部３０ｂによって、可撓性の首掛け紐が形成されている。この首掛け紐は、利用者が首に掛けると第１発光部１０が体の前面側（望ましくは胸のあたり）に位置する長さに設定されている。
【００２４】
第１発光部１０は、内部が空洞な構造となっており、その空洞部分に第１光源１５と、第１光源１５を点灯させる駆動回路を含む点灯駆動部（詳細は後述する）が収納されている。第１光源１５の好ましい一例として、発光ダイオード（ＬＥＤ）を挙げることができるが、他の発光素子や照明器具を用いてもよい。図１〜図３及び図５Ａ、図５Ｂに示すように、第１発光部１０の前方部には、裏面１０ｂ側に比べて表面１０ａ側により大きく回り込むように透明の窓部１１が嵌め込み固定されている。第１光源１５からの光は、この窓部１１を通じて外方に向けて照射される。また、図３に示すように、第１発光部１０の裏面１０ｂには、点灯と消灯を操作するための後述するプッシュスイッチに対応した操作領域１３が形成されている。更に、第１発光部１０の側部には、後述するコネクタ端子５０が露出する開口が形成され、その開口を開閉自在な蓋部１２で塞いでいる。蓋部１２は、例えば、第１発光部１０の後端部と同様の軟質材料で形成されている。
【００２５】
円筒状の第２発光部２０は、内部が空洞な構造となっており、図１及び図４に示すように、その空洞部分に第２光源２５を収容している。第２光源２５の好ましい一例として、４つの発光ダイオード（ＬＥＤ）２５ａ〜２５ｄ（例えば、赤色発光ＬＥＤ）を挙げることができるが、他の発光素子や照明器具を用いてもよい。４つの発光ダイオード２５ａ〜２５ｂは、発光方向が後方側（利用者の背中側）を向くようにして、輪１００（図１参照）の長さに沿って略等間隔に配列されている。円筒状の第２発光部２０の表面には、第２光源２５の発光方向に対応する位置に透明の窓部２１が嵌め込み固定されている。従って、第２光源２５からの光は、この窓部２１を通じて外方に向けて照射される。
【００２６】
さらに、図１〜図３及び図５Ａ、図５Ｂに示すように、第１連結紐状部３０ａ及び第２連結紐状部３０ｂには、輪１１０の長さ方向の一部の領域に第１紐形状保持部４０ａ及び第２紐形状保持部４０ｂが設けられている。第１紐形状保持部４０ａ及び第２紐形状保持部４０ｂは、例えば、第１発光部１０の後端部から延びるように連結されている第１連結紐状部３０ａ及び第２連結紐状部３０ｂの夫々の根元の部分に、第１発光部１０を中心として左右対称に位置するように一対に設けられている。第１紐形状保持部４０ａ及び第２紐形状保持部４０ｂは、例えば、３０ｍｍ〜６０ｍｍの範囲内の長さに夫々設定することができる。好ましい一例として、図５Ａに示すように、第１紐形状保持部４０ａは、軟質材料で形成された第１連結紐状部３０ａの内部に、利用者の手で曲げることができ、且つ、その曲げられた状態を保持する保持力を備えた第１形状保持部材４１ａを埋設して形成している。図示は省略するが、第２紐形状保持部４０ｂも、同様に第２形状保持部材４１ｂを埋設して形成している。第１紐形状保持部４０ａ及び第２紐形状保持部４０ｂは、特に限定するものではないが、図５Ｂに示すように、例えば９０度までの範囲内で任意の角度θに曲げることができる。曲げ方向も制限されることはなく、前後左右のいずれにも曲げることができる。なお、埋設される第１形状保持部材４１ａ及び第２形状保持部材４１ｂの夫々と第１発光部１０とは互いに離間していてもよく、第１形状保持部材４１ａ及び第２形状保持部材４１ｂの一端を第１発光部に接続固定してもよい。
【００２７】
第１形状保持部材４１ａ及び第２形状保持部材４１ｂの種類は、特に限定されることはないが、好ましい一例として、金属製のフレキシブルチューブを挙げることができる。金属製のフレキシブルチューブは、図５Ａに模式的に示すように、線状又は帯状の金属を螺旋に巻いてチューブ状に形成した部材であり、例えば、市販されているものを採用することができる。フレキシブルチューブに代えて、蛇腹状の金属ホース、金属棒や針金などの他の金属製の形状保持部材を採用してもよく、或いは樹脂製の形状保持部材を採用してもよい。第１形状保持部材４１ａ及び第２形状保持部材４１ｂは、例えば、第１発光部１０の後端部、第１連結紐状部３０ａ及び第２連結紐状部３０ｂを軟質材料で一体成形する際に、埋設することができる。一体成形に代えて、第１紐形状保持部４０ａと第２紐形状保持部４０ｂの部分を別個に形成して、第１連結紐状部３０ａ及び第２連結紐状部３０ｂと第１発光部１０の間に接続固定するようにしてもよい。
【００２８】
さらに、第１紐形状保持部４０ａ及び第２紐形状保持部４０ｂにあたる領域の第１連結紐状部３０ａ及び第２連結紐状部３０ｂの表面には、紐の周方向の全周に沿って形成される第１溝４２ａと第２溝４２ｂが、第１紐形状保持部４０ａ及び第２紐形状保持部４０ｂの長さ方向に間隔をおいて複数設けられている。図１〜図３及び図５Ａ、図５Ｂには、好ましい一例として、幅及び深さが１ｍｍ〜３ｍｍの範囲内で形成された第１溝４２ａと第２溝４２ｂを３ｍｍ〜１０ｍｍの間隔をおいて３本形成しているが、寸法及び配列本数は適宜変更することができる。溝の間隔を狭めて、蛇腹形状にしてもよい。さらに、第１溝４２ａ及び第２溝４２ｂの断面形状は、矩形であってもよく、半円形であってもよい。
【００２９】
前述したように第１発光部１０に収容される第１光源１５を点灯及び消灯させる点灯駆動部、及び第２発光部２０に収容される第２光源２５としての４つの発光ダイオード２５ａ〜２５ｄを点灯及び消灯させる点灯駆動部は、図６に示すような回路構成となっている。
【００３０】
図６において、点灯駆動部は、充電回路５１、充電可能な電池５２、駆動回路５３、制御回路５４及びプッシュスイッチ５５（スイッチ部）を有している。充電回路５１の入力端は、コネクタ端子５０（図３参照）に接続され、その出力端は、電池５２に接続されている。コネクタ端子５０に直流給電装置（所謂、充電器）を接続することにより、充電回路５１が前記直流給電装置から給電されつつ電池５２を充電する。
【００３１】
駆動回路５３には、第１発光部１０に設けられた第１光源１５（発光ダイオード：図２参照）が抵抗器Ｒ１を介して接続されるとともに、第２発光部２０に第２光源２５として設けられた４つの発光ダイオード２５ａ〜２５ｄが並列的に抵抗器Ｒ２を介して接続されている。制御回路５４は、プッシュスイッチ５５の操作に従って、駆動回路５３を制御する。駆動回路５３は、制御回路５４の制御のもと、電池５２からの電力に基づいて第１光源１５に電流を供給して、第１光源１５を点灯させる。また、駆動回路５３は、制御回路５４の制御のもと、電池５２からの電力に基づいて第２光源２５としての４つの発光ダイオード２５ａ〜２５ｄに電流を供給して、当該４つの発光ダイオード２５ａ〜２５ｄを点灯させる。
【００３２】
例えば、プッシュスイッチ５５の１回の押し操作で、制御回路５４は、駆動回路５３を第１モードで制御し、その第１モードでの制御によって駆動回路５３は、第１光源１５を点灯させるとともに４つの発光ダイオード２５ａ〜２５ｄを所定周期にて点滅させる。また、例えば、第１モードでの制御がなされている際に、プッシュスイッチ５５が、更に１回、押し操作されると、制御回路５４は、駆動回路５４を第２モードで制御し、その第２モードでの制御によって駆動回路５３は、４つの発光ダイオード２５ａ〜２５ｄを消灯させ、第１光源１５の点灯状態を維持させる。更に、例えば、第２モードでの制御がなされている際に、プッシュスイッチ５５が、更に１回、押し操作されると、制御回路５４は、第１光源１５及び第２光源２５の４つの発光ダイオード２５ａ〜２５ｄの全てが消灯するように駆動回路５３を制御する。
【００３３】
プッシュスイッチ５５の操作部５５ａは、第１発光部１０の内部の裏面１０ｂに形成された操作領域１３（図３参照）に対向するように設けられている。これにより、利用者は、第１発光部１０の裏面１０ｂの操作領域１３を押すことにより、プッシュスイッチ５５を操作することができる。
【００３４】
なお、第１発光部１０に設けられた駆動回路５３から第２発光部２０に設けられた４つの発光ダイオード２５ａ〜２５ｄまでの配線は、第１連結紐状部３０ａ及び／または第２連結紐状部３０ｂ内を通してなされる。第１形状保持部材４１ａ及び第２形状保持部材４１ｂとして、内部が空洞のチューブやホースを用いる場合は、その空洞内に配線を通すことができる。
【００３５】
本実施形態の首掛け照明装置１００は、第１発光部１０が利用者の前面側（望ましくは胸の部分）に位置すると共に、第２発光部２０が後ろ首に位置するように、輪１１０を首に掛けることによって利用者に装着される。そして、利用者は、例えば、第１発光部１０の裏面１０ｂに形成された操作領域１３に親指の腹の部分が当たるように第１発光部１０を手で持ち、さらにプッシュスイッチ５５の操作部５５ａを押圧する。これにより、首掛け照明装置１００が第１モードで起動され、第１発光部１０が点灯する共に、第２発光部２０が所定の周期にて点滅を繰り返す。
【００３６】
前照用の発光部である第１発光部１０が点灯すると、第１発光部１０からの光は、例えば、図７に模式的に示すように、利用者の足元を照らす。これにより、利用者は、足元付近にある障害物の有無を確認しながら夜間にウォーキング等をすることができる。また、利用者の前方から近づく車両の運転者は、第１発光部１０からの光を遠目から視認することによって、利用者の存在を知ることができる。
【００３７】
しかしながら、利用者の身体条件によっては、第１発光部１０からの光が照らす場所が、自分が望むところから外れている場合がある。或いは、ウォーキングからジョギングに切り替える際に、光が照らす方向を遠目に変えたい場合などがある。このような場合、利用者は、例えば、第１発光部１０及び／又は紐形状保持部（４０ａ，４０ｂ）を手で持って、紐形状保持部（４０ａ，４０ｂ）を曲げて光が照らす方向を調節する。例えば、遠目を照らしたいときには、図８に模式的に示すように、第１発光部１０が上方を向くように紐形状保持部（４０ａ，４０ｂ）を曲げる。反対に足元近くを照らしたいときには、第１発光部１０が下方を向くように紐形状保持部（４０ａ，４０ｂ）を曲げる。さらに、体の中心線上から右側（又は左側）に照射方向が外れている場合には、第１発光部１０が左側（又は右側）を向くように紐形状保持部（４０ａ，４０ｂ）を曲げて、左右の照射方向を調節することもできる。既述したように、紐形状保持部（４０ａ，４０ｂ）を第１発光部１０の近傍に設けているので、利用者は、首掛け照明装置１００を首から外さなくても照射方向を調節することができ、さらには光を照らしながら自分の望む方向に照射方向を調節することができる。
【００３８】
一方、第１モードにおいては、図８に示すように、後照用の発光部である第２発光部２０の４つの発光ダイオード２５ａ〜２５ｄが所定周期にて繰り返し点灯する。これにより、利用者の後方から近づく車両の運転者は、点滅する光を遠目から視認することにより、利用者の存在を知ることができる。利用者は、さらにプッシュスイッチ５５の押し操作によって、前述の第２モードへの切り替えや、使用後の消灯を適宜行うことができる。
【００３９】
従って、本実施形態の首掛け照明装置１００によれば、第１連結紐状部３０ａ及び第２連結紐状部３０ｂの一部の領域に第１紐形状保持部４０ａ及び第２紐形状保持部４０ｂを設けたことにより、利用者が第１連結紐状部３０ａ及び第２連結紐状部３０ｂを手で曲げて第１発光部１０の照射方向を変え、その状態を保持することができる。すなわち、第１発光部１０の光が照らす場所を、自分の望むところに調節することができる。その結果、身体条件に依存せず、利用者の望む方向を照らすことが可能となる。また、使用形態に応じて、利用者の望む方向を照らすことが可能となる。
【００４０】
このように自分が望むところが照らせることによって、利用者は、障害物の有無をより確実に確認することが可能となる。その結果として、ウォーキングやジョギングを行う利用者の安全性を高めることができる。さらには、自分の望むところが照らせるので、例えば、本実施形態の首掛け照明装置１００を暗室での手作業時に使用するなど、首掛け照明装置１００の用途の範囲が拡大することを期待できる。
【００４１】
続いて、本実施形態の変形例について説明する。
まず、好ましい一例として、第１発光部１０に連結される第１連結紐状部３０ａ及び第２連結紐状部３０ｂの根元の部分に第１紐形状保持部４０ａ及び第２紐形状保持部４０ｂを設ける構成を説明したが、第１紐形状保持部４０ａ及び第２紐形状保持部４０ｂを、輪１１０における別の位置に設けるようにしてもよい。
【００４２】
さらには、例えば、首から肩にかけて新たな紐形状保持部を設けるようにしてもよい。このように紐形状保持部を追加することで、首回りから肩にかけての輪１１０の形状を利用者の好む形状に変形及び保持することができ、装着時の快適性が向上する。
【００４３】
さらにまた、首掛け照明装置１００は、後照用の第２発光部２０に光源（第２光源：発光ダイオード２５ａ〜２５ｄ）を設ける構成に代えて、アロマ剤（芳香剤）等の香りの発生源及びその発生源からの香りを周囲に放出させるファンを有する香発生部を設けることもできる。或いは、防虫剤及び防虫剤を周囲に放出させるファンを有する防虫剤発生部を設けることもできる
【産業上の利用可能性】
【００４４】
以上、本発明に係る首掛け照明装置は、利用者が首掛け紐の一部を手で曲げて発光部の照射方向を変えることができるので、利用者の望む方向に照射方向を調節することが可能となる効果を有し、利用者の首に掛けて利用される照明装置として有用である。
【符号の説明】
【００４５】
１０  第１発光部
２０  第２発光部
３０ａ  第１連結紐状部
３０ｂ  第２連結紐状部
４０ａ  第１紐形状保持部
４０ｂ  第２紐形状保持部
４１ａ  第１紐形状保持部材
４１ｂ  第２紐形状保持部材
４２ａ  第１溝
４２ｂ  第２溝
５２  電池
５５  プッシュスイッチ
１００  首掛け照明装置
１１０  輪
【図１】
0006684596.tif 000002
【図２】
0006684596.tif 000003
【図３】
0006684596.tif 000004
【図４】
0006684596.tif 000005
【図５Ａ】
0006684596.tif 000006
【図５Ｂ】
0006684596.tif 000007
【図６】
0006684596.tif 000008
【図７】
0006684596.tif 000009
【図８】
0006684596.tif 000010
【図９】
0006684596.tif 000011
【図１０】
0006684596.tif 000012
【図１１】
0006684596.tif 000013